(57)【特許請求の範囲】
【請求項１】
遊技機の賞球払出装置から賞球通路を通じて払出された賞球を貯留し発射装置に供給するための上皿と、前記上皿からオーバーフローした賞球を貯留するための下皿と、前記賞球通路の終端部に設けた上皿賞球入口部に設けた上皿満杯スイッチと、前記上皿賞球入口部からのオーバーフロー球を下皿に供給する下皿連絡通路の終端部付近に設けた下皿満杯スイッチと、前記上皿満杯スイッチおよび下皿満杯スイッチの満杯検知状況に応じて前記賞球払出装置の運転および停止を制御する払出制御手段とを具備すると共に、前記上皿満杯スイッチおよび下皿満杯スイッチがいずれも受皿満杯状態検出中であっても前記発射装置を打球発射可能としたパチンコ遊技機において、前記上皿満杯スイッチと下皿満杯スイッチとの双方が満杯状態を検出したときに、払出制御手段が受皿満杯状態と判定し賞球払出装置に停止指令を発するようにするとともに、
前記上皿賞球入口部に、前記上皿満杯スイッチが満杯状態を検出するときの賞球の第１貯留レベルに対して前記上皿賞球入口部から前記下皿連絡通路にオーバーフローするときの賞球の第２貯留レベルを高くし、前記上皿満杯スイッチおよび下皿満杯スイッチが満杯状態を検出して前記払出制御手段から前記賞球払出装置に停止指令を発した時点から前記賞球通路を通じて前記上皿賞球入口部に流入する賞球の最大個数を受入れ可能な大きさであって、前記賞球払出装置から１回に払出される所定個数の賞球の２回分以上の払出し個数の賞球を収容可能とした前記第１貯留レベルと前記第２貯留レベルの差による空間容積を設けたことを特徴とするパチンコ遊技機。
【請求項２】
前記上皿満杯スイッチと下皿満杯スイッチとを払出制御手段の信号入力端子に対して直列に接続したことを特徴とする請求項1記載のパチンコ遊技機。
【請求項３】
前記賞球払出装置から前記上皿の賞球入口部に流下する賞球を遊技者が視認可能な窓孔を設けたことを特徴とする請求項1または2記載のパチンコ遊技機。
【発明の詳細な説明】
【技術分野】
【０００１】
この発明はパチンコ遊技機の前面に設けられ、発射装置に供給するパチンコ球を貯留するための上皿と、前記上皿が満杯状態の場合に、上皿からオーバーフローした賞球を貯留するための下皿とを備えたパチンコ遊技機の改良に関するものである。
【背景技術】
【０００２】
従来のパチンコ遊技機においては、図8に示すように上皿１０８からオーバーフローした賞球を下皿１０９へ案内するための下皿連絡通路１２７に下皿満杯スイッチ１３２を設け、この下皿満杯スイッチ１３２の検出手段であるリミットスイッチＬＳ１を、賞球払出装置１２４の発停を制御する払出制御基板１２３の入力ポート１２３ａ,１２３ｂに接続することにより、払出制御基板１２３にて前記下皿満杯スイッチ１３２を常時監視し、下皿満杯スイッチ１３２が下皿１０９の満杯状態を検知したときは、前記払出制御基板１２３が賞球払出装置１２４の払出動作を停止させると共に、その後、遊技者が下皿１０９に設けた球抜き操作レバー(図示せず)を操作し、底部のシャッター１１５を開放して下皿１０９からパチンコ玉を玉箱等に移し替えると、前記下皿満杯スイッチ１３２が再び非作動状態となったときに賞球払出装置１２４の払出し動作を再開させるようになっている。
【０００３】
しかしながら、前記下皿満杯スイッチ１３２は、前述のように遊技者自身が手動で下皿１０９内のパチンコ玉を玉箱等に移し替えない限り、作動状態が変化しないため、前記払出制御基板１２３のメモリー内に多数の未払出球データが存在する場合でも、下皿満杯スイッチ１３２を強制的に非作動状態にしない限り、賞球払出装置１２４の運転が再開されることがない。したがって、遊技者が上皿１０８に貯留したパチンコ球を使い果たして空の状態になった場合には、たとえ払出制御装置に多量の未払出し賞球が記憶されていても、下皿１０９が満杯状態であれば、遊技者自身が前記下皿１０９に貯留された賞球を上皿１０８に手で移し替えるか、または、球抜き操作レバー操作し、下皿１０９から球箱への無駄な球抜き操作を行う必要があり、遊技に集中できない問題があった。
【０００４】
このため、下記特許文献1では、上皿と下皿とにそれぞれ満杯スイッチを設け、双方の満杯スイッチを主制御基板(遊技制御および役物制御を行うメイン基板)に並列に接続し、主制御基板によって２個の満杯スイッチの作動状況を常時監視することで、これら双方のスイッチが満杯を検出した場合にのみ前記賞球払出装置を停止制御するとともに、上皿満杯スイッチが非操作状態のときは、下皿満杯スイッチの動作状態にかかわらず賞球払出装置を払出可能状態とすることで、打球発射遊技の継続を可能とした構成のパチンコ機が提案されている。
【０００５】
【特許文献１】特開２００３―１２６４７０号公報
【発明の開示】
【発明が解決しようとする課題】
【０００６】
しかしながら、従来のパチンコ遊技機においては、一般的に賞球払出し動作途中に前記満杯スイッチから満杯信号による停止指令が送られても、所定単位数の賞球（例えば、１５球）を払出し終えるまでは、賞球払出装置が停止しない仕様となっている。これは、払出個数不足の錯誤によるホール従業員と遊技者との間のトラブルを回避するためである。(下記特許文献２を参照)
したがって、前記上皿および下皿に夫々満杯スイッチを設け、下皿満杯状態時にも上皿に対して賞球払出しを可能にしたパチンコ遊技機においては、下皿満杯の状態にて、上皿に対し賞球払出装置から払出しが繰り返し行われると、上皿満杯スイッチの満杯検知と賞球払出装置の停止動作とのタイムラグによって、毎回、少量の球が上皿の賞球入口部から溢れ出して連絡通路内に侵入し、これが繰り返されて徐々に連絡通路に堆積することにより連絡通路内に賞球が充満し、圧雪状態となって球詰まりの原因となる問題がある。
【０００７】
【特許文献２】特開平６−１７８８５７公報
【０００８】
勿論、前記払出個数の不明瞭さに起因するトラブル発生の問題を無視し、下記特許文献3のように賞球払出装置が払出し動作途中であっても、上皿満杯スイッチが満杯を検知した時点で、払出動作を即座に中断させることも可能であるが、賞球払出装置と上皿との間には賞球通路が存在するので、上皿満杯スイッチが動作し、賞球払出装置に停止指令が出された時点で、賞球がここを流下中の場合は、これが前記上皿の賞球入口部から溢れて下皿連絡通路に侵入し、これが徐々に堆積する問題が残る。
【０００９】
【特許文献３】特開平６−７１０３３公報
【００１０】
本発明は、かかる従来のパチンコ遊技機における問題点に着目し、上皿および下皿の双方に満杯スイッチを設け、下皿満杯スイッチが動作中でも、上皿満杯スイッチが非動作の場合は、賞球払出装置から上皿への賞球および貸し球の払出しを継続可能としたパチンコ遊技機において、上皿満杯スイッチのオン・オフ動作に伴って、上皿に対し繰り返し賞球の払出しが行われる際に、上皿に収容しきれない少量の球が下皿連絡通路に侵入するのを防止し、賞球や貸し球が下皿連絡通路に堆積するのを回避することにより、上記問題を解決せんとするものである。
【課題を解決するための手段】
【００１１】
上記課題を解決するため、請求項１記載の発明は、遊技機の賞球払出装置から賞球通路を通じて払出された賞球を貯留し発射装置に供給するための上皿と、前記上皿からオーバーフローした賞球を貯留するための下皿と、前記賞球通路の終端部に設けた上皿賞球入口部に設けた上皿満杯スイッチと、前記上皿賞球入口部からのオーバーフロー球を下皿に供給する下皿連絡通路の終端部付近に設けた下皿満杯スイッチと、前記上皿満杯スイッチおよび下皿満杯スイッチの満杯検知状況に応じて前記賞球払出装置の運転および停止を制御する払出制御手段とを具備すると共に、前記上皿満杯スイッチおよび下皿満杯スイッチがいずれも受皿満杯状態検出中であっても前記発射装置を打球発射可能としたパチンコ遊技機において、前記上皿満杯スイッチと下皿満杯スイッチとの双方が満杯状態を検出したときに、払出制御手段が受皿満杯状態と判定し賞球払出装置に停止指令を発するようにするとともに、
前記上皿賞球入口部に、前記上皿満杯スイッチが満杯状態を検出するときの賞球の第１貯留レベル（図２のＡ）に対して前記上皿賞球入口部から前記下皿連絡通路にオーバーフローするときの賞球の第２貯留レベル（図２のＢ）を高くし、前記上皿満杯スイッチおよび下皿満杯スイッチが満杯状態を検出して前記払出制御手段から前記賞球払出装置に停止指令を発した時点から前記賞球通路を通じて前記上皿賞球入口部に流入する賞球の最大個数を受入れ可能な大きさであって、前記賞球払出装置から１回に払出される所定個数の賞球の２回分以上の払出し個数の賞球を収容可能とした前記第１貯留レベルと前記第２貯留レベルの差による空間容積を設けたことを特徴とする。
【００１２】
上記の構成によれば、本件発明は上皿満杯スイッチと下皿満杯スイッチとが何れも満杯状態を検出している場合に払出制御手段が受皿満杯状態と判定し、賞球払出装置に停止指令を発するようにしたものであるから、下皿が満杯の状態にあっても、遊技継続によって上皿の打球が減少し、上皿満杯スイッチが非動作状態になった場合は、賞球払出し装置が運転を再開し上皿が満杯になるまで賞球の払出しが行われるとともに、賞球払出装置からの賞球を受ける為の上皿賞球入口部に、上皿満杯スイッチが満杯状態を検出するときの賞球の第１貯留レベルに対して上皿賞球入口部から下皿連絡通路にオーバーフローするときの賞球の第２貯留レベルを高くし、上皿満杯スイッチおよび下皿満杯スイッチが満杯状態を検出して払出制御手段から前記賞球払出装置に停止指令を発した時点から賞球通路を通じて上皿賞球入口部に流入する賞球の最大個数を受入れ可能な大きさであって、賞球払出装置から１回に払出される所定個数の賞球の２回分以上の払出し個数の賞球を収容可能とした第１貯留レベルと第２貯留レベルの差による空間容積を設けたから、賞球払出装置から上皿に対して賞球払出し動作が頻繁に行われても、賞球の一部が下皿連絡通路に侵入するのを防止し、これによって前記下皿連絡通路に賞球が堆積することに起因する球詰まりなどのトラブルを未然に回避することが出来る。
【００１３】
請求項2にかかる発明においては、前記上皿満杯スイッチと下皿満杯スイッチとを払出制御手段の信号入力端子に対して直列に接続ことで、前記上皿と下皿との同時監視を可能にしている。
上記の構成によれば、既存の払出制御基板に対して上皿満杯スイッチと下皿満杯スイッチとを直列に結線するだけで構成することが可能であると共に、払出制御基板の制御プログラムを変更する必要もなく、実機への適用が極めて容易である。
【００１４】
また、請求項3 に示す実施形態では、前記賞球払出装置から前記上皿の賞球入口部に流下する賞球を遊技者が外部から視認可能な窓孔を設けた構成としている。
上記構成によれば、遊技者は遊技機の内部に設けた前記賞球払出装置から上皿の賞球入口部に対して行われる賞球の払出状態を遊技をしながら目視することが出来、外面的には上皿８の貯留数に変化がない場合にも、実際に賞球払出が行われているという実感、いわゆる「出球感」を享受することが出来る。
【発明を実施するための最良の形態】
【００１５】
図１は、この発明を適用したパチンコ遊技機の全体構成を示す斜視図である。
パチンコ遊技機は、本体を構成する遊技盤保持枠1を遊技場内の島に固定される木製の外枠２内に収容し、前記遊技盤保持枠1を外枠２の上下に設けたヒンジ金具３，３により、開閉可能に支持している。前記遊技盤保持枠1の前面には、円形の遊技盤面内に液晶表示器や始動入賞口や大入賞口や遊技釘等を前面の遊技盤面に配設した遊技盤４が着脱自在に保持されていると共に、遊技盤４の前方には、前記遊技盤４の円形遊技領域とほぼ等しい大きさを有し、かつ、２枚構成の透明ガラス５を保持させた丸窓を有する前扉６が配置され、この前扉６が前記遊技盤保持枠1の左端に設けたヒンジ７、７によって遊技盤保持枠1に対し開閉可能に取付けられている。
【００１６】
前記遊技盤保持枠１の下部前面には、後述する賞球払出装置２４から払出される賞球を貯留するための上皿８および、この上皿８からオーバーフローした賞球を貯留するための下皿９が設けられていると共に、前記上皿８に貯留したパチンコ球を発射するために操作される発射ハンドル１０、一対のスピーカ１１，１１が夫々設けられている。１２は前記上皿６の前縁に設けられた遊技球貸出スイッチであって、遊技者がパチンコ遊技機本体の左側に配置される図示なき台間玉貸装置に紙幣を挿入した後、遊技球貸出スイッチ１２を操作すると、遊技機側の賞球払出装置２４が、度数に応じた個数の貸し球を前記遊技盤保持枠1の前面に設けた賞球出口１３より上皿８内に送出するようになっている。
【００１７】
１４は前記下皿９の前面に設けた球抜き操作ボタンであって、この操作ボタン１４を遊技者が操作することによって、下皿９の底面に設けたシャッター機構１５が開口し、前記下皿９に蓄積した球を、図示なき球箱内に移し替えることが出来る。
【００１８】
１６は前記前扉６の下部に設けた透明カバー付きの窓孔であって、この窓孔１６から前記遊技盤４あるいは遊技盤保持枠１に穿設した透孔１７を通じて、後述する賞球払出装置２４から前記上皿８に払出される賞球通路２６の一部が視認可能になっている。
また、前記前扉６前面のヒンジ７近傍には、遊技機の背面右側下部に配置した払出制御基板２３(図２を参照)のメモリーに記憶された未払出賞球数データをデジタル表示するための未払出賞球数表示器１８が設けられている。
【００１９】
図２に示す遊技機の背面図において、１９は前記遊技盤保持枠１の裏面に対しヒンジ２０，２０により開閉可能に取付けられた合成樹脂製の裏機構盤であって、この裏機構盤１９の上部には、パチンコ遊技機を設置する遊技店の島設備から随時補給されるパチンコ球を貯留するための上部タンク２１が設けられ、その下面になだらかな傾斜状のタンクレール２２が連設されていると共に、前記タンクレール２２の下端２２ａには、下部に設けた前記払出制御基板２３によって制御される前記賞球払出装置２４が配置されており、この賞球払出装置２４は遊技盤４の役物制御や内部抽選処理を実行する主制御基板２５から発せられる賞球指令コマンドに基づき払出制御基板２３によって発停が制御される。
【００２０】
前記賞球払出装置２４の下面に設けた賞球出口２４ａには、前記裏機構盤１９と合成樹脂により一体形成された賞球通路２６が垂直に設けられ、これが前記上皿８に賞球を払出す為の賞球出口１３と連通するポケット形の賞球入口部２５と連通していると共に、賞球出口１３から斜め下方に延び、そこから鉛直下方に屈曲した下皿連絡通路２７の下端には、前記下皿９と連通する球出口２８が設けられている。
【００２１】
図中、２９は前記賞球入口部２５を画成する壁の一部に設けられた上皿満杯スイッチであって、この上皿満杯スイッチ２９は図３に拡大して示すように、前記賞球入口部２５の壁の外面に固定されたリミットスイッチＬＳ２と、前記賞球入口部２５の壁に設けた開口２５ａ内において、支軸３０により上端が回動自在に枢支された板状の検知片３１とからなるもので、前記検知片３１が、賞球の圧力に押されて矢印Ｘ方向に回動するとき、リミットスイッチＬＳ２の検知片が押されて、賞球入口部２５に所定量の賞球が蓄積されたことを検出することにより、前記上皿８が満杯になったことを前記払出制御基板２３に対し信号出力する。
【００２２】
一方、前記下皿連絡通路２７の下端近傍には、下皿満杯スイッチ３２が設けられており、この下皿満杯スイッチ３２は、図４に拡大図示するように、下皿連絡通路２７を画成する壁の外面にリミットスイッチＬＳ１を固着すると共に、下皿連絡通路２７の壁に設けた開口２７ａ内において、支軸３３により回動可能に枢支された検知片３４が下皿連絡通路２７内に滞留した球の圧力に押されて矢印Ｙ方向に押圧されたとき、リミットスイッチＬＳ１の検知片が押し込まれて、前記下皿８が満杯状態になったことを払出制御基板２３へ信号出力するようになっている。
【００２３】
なお、前記上皿満杯スイッチ２９のリミットスイッチＬＳ２および下皿満杯スイッチ３２のリミットスイッチＬＳ１は、夫々図5に概要を示す通り、前記払出制御基板２３の満杯信号入力ポート２３ａ，２３ｂに対し、配線Ｌを介して直列に接続されている。
すなわち、リミットスイッチＬＳ１およびリミットスイッチＬＳ２が共に満杯検出をおこなったときに払出制御基板２３の満杯信号入力ポート２３ａに対して初めて満杯信号が入力されるもので、いずれか一方のみが満杯を検出しても直列回路が閉成しないため、払出制御基板２３は未払出賞球が自己のメモリー内に存在すれば、賞球払出装置２４に対して賞球払出し指令を継続することになる。
【００２４】
前記賞球入口部２５は、従来のパチンコ遊技機よりも容積が大きくなっており、前記図２に示すように上皿満杯スイッチ２９のリミットスイッチＬＳ２が作動するときのパチンコ球の貯留レベルを仮に二点鎖線Ａで示す高さとすると、賞球入口部２５からパチンコ玉がオーバーフローする貯留レベルは二点鎖線Ｂで示される高さにあり、これらの容積の差は、少なくとも上皿満杯スイッチ２９が作動し、払出制御基板２３から賞球払出装置２４に停止指令が発せられた時点から、賞球通路２６を通じて前記上皿賞球入口部２５に流入する賞球の最大個数を受入れ可能な大きさ以上とするのが好ましい。
【００２５】
例えば、賞球払出装置２４から１回に払出される賞球の所定個数を例えば１５球とした場合、賞球払出し動作が始まった直後に上皿満杯スイッチ２９が作動したとすると、前回の１５球分は賞球通路２６を通じて上皿賞球入口部２５に流入している途中であり、その上に更に次回の１５球が払出されることになるので、２５球から３０球の賞球が前記上皿賞球入口部２５に流入する可能性がある。したがって、前記貯留レベルＢの容積から貯留レベルＡの容積を差し引いた空間容積を３０球以上を収容可能な大きさに設定すれば、上皿８に対して間欠的に賞球払出を行う場合に、少量の球が下皿連絡通路２７に侵入するのを防止できる。ただし、ここで取り扱う対象は球体であるから、上皿賞球入口部２５の形状や賞球通路２６から流入する賞球の偏り具合によっては、前記貯留レベルＡと傾きが大きく変化することがあり、貯留レベルＡを超えているにも係わらず、上皿満杯スイッチ２９の作動が遅れる恐れがあるので、余裕を見込んだ容積とすることが必要である。
【００２６】
なお、前記賞球払出装置２４の賞球出口２４aと上皿８の賞球入口部２５とを繋ぐ賞球通路２６ならびに前記賞球入口部２５の壁は、図５に示すように、透明な材質の合成樹脂によって形成されており、遊技者は遊技盤４に設けた透孔１７および前記前扉６に開口した窓孔１６を通じてここを流下する遊技球の状態を遊技を行いながら観察出来るようになっている。前扉６の窓孔１６の前面には透明は合成樹脂製のカバーが取付けられている。
【００２７】
図６は、上記パチンコ遊技機の主要な制御装置の構成を示すブロック図である。
このパチンコ遊技機には、機体各部の動作を統括制御するための主基板５０を中心に、演出用制御基板６０、発射制御基板７０などの副制御基板が設けられる。前記主基板５０とは、始動口への入賞を契機に内部抽選を行ったり、抽選結果に応じて大入賞口を開放制御したりする前記主制御基板２５と、賞球払出装置２４を制御する払出制御基板２３と含む概念的な基板名であって、前記主制御基板２５と払出制御基板２３とは夫々個別の基板としてケースに収められ、互いにハーネスで結線されている。
【００２８】
前記主制御基板２５には、前記遊技盤４に設けた始動入賞口への入球を検出するための始動口センサ４１、球が遊技盤４のゲートを通過するのを検出するためのゲートセンサ４２、大入賞口への入球を検出するための大入賞口センサ４３、大入賞口を開閉するための大入賞口ソレノイド４４および前記始動入賞口の直上に設けた電動チューリップを開閉するための普通電役ソレノイド４５、前記ゲートへの球通過や前記始動入賞口への入球を契機に主制御基板２５で行われる内部抽選の結果を表示する図柄表示器４６などが接続される。さらに、前記主制御基板２５には、パチンコ遊技機に対する不正行為を検出するための電波検知センサ４７、磁気検知センサ４８、扉開放検知センサ４９が接続されている。
【００２９】
前記演出用制御基板６０には、前記主制御基板２５内にて行われる内部抽選の結果に関連した内容の演出映像を表示するための液晶表示ユニット６１、内部抽選結果に関連した報知を行なうスピーカ１１や電飾ランプ６２などが接続される。
【００３０】
一方、前記払出制御基板２３には、賞球払出装置２４の払出モータ５１や払出検知センサ５２、前記上部タンク２１に設けられるタンク球切れセンサ５３などが接続されると共に、上皿満杯スイッチ２９および下皿満杯スイッチ３２が接続されている
発射制御基板７０には、発射モータ５４、図１に示した発射ハンドル１０に遊技者が触れているか否かを検出するタッチスイッチ５５や、遊技者が操作する事により打球の発射を一時的に停止させる発射ストップスイッチ５６などが接続される。
【００３１】
前記主基板５０に含まれる主制御基板２５や払出制御基板２３には、セキュリティー性の向上を目的として、セグメントにＣＰＵ，ＲＯＭ，ＲＡＭを内蔵したワンチップ型マイクロコンピュータが実装されている。ただし、演出用制御基板６０については、液晶表示ユニット６１などを駆動する必要上、処理速度の速い大容量のＣＰＵが実装されていると共に、ＲＯＭおよびＲＡＭについても前記主制御基板２５や払出制御基板２３より大容量のものが用いられる。一方、発射制御基板７０は、前記払出制御基板２３に接続され、その制御下で発射モータ５５の動作を制御する。
【００３２】
前記演出用制御基板６０は、中継基板８１を介して主制御基板２５に接続され、主制御基板２５からの制御コマンドに基づき、演出に関する制御を行うものであり、演出用制御基板６０から主制御基板２５に対して制御信号や状態信号が送信されることはない。
【００３３】
一方、前記主制御基板２５と払出制御基板２３とは、双方向通信が可能に接続されており、主制御基板２５から払出制御基板２３には、払出制御信号や状態信号などが一方向に送信される。払出制御基板２３は、主制御基板２５から払出制御信号を受けると、払出検知センサ５２からの検知信号に基づき払い出された球数を計数しつつ、この計数値が払出制御信号により指示された値になるまで、払出モータ５２に賞球信号（具体的には、払出モータ５１の駆動パルス信号）を出力する。
また、払出制御基板２３では、この賞球払出しを行っている状態下で、上皿満杯スイッチ２９および下皿満杯スイッチ３２が夫々受皿の満杯状態を検出したときは、所定単位個数の賞球(例えば、1５球)を払出した時点で、払出しモータ５１への駆動信号を停止させ、払出しを停止させる。なお、賞球払出装置２４を停止制御することにより生じた未払出し球や、主制御基板２５から新たに受けた払出制御信号によって増加した未払出し球は、払出制御基板２３のメモリー（ＲＡＭ）に記憶される。
【００３４】
払出制御基板２３には、中継基板８２を介して発射制御基板７０が接続されるほか、大当たり等の各種状態信号や賞球信号等の遊技情報を通信回線を介してホールコンピュータに出力するための外部端子盤５７や台間玉貸装置を接続するための玉貸装置接続用基板５８が接続されている。
【００３５】
玉貸装置接続用基板５８は、パチンコ遊技機と並べて設置される台間球貸装置に対してハーネスで接続されている。台間球貸装置は、磁気カード、ＩＣカードなどの有価価値記憶媒体を受け付けて、その媒体に記憶された度数データを引き落とし、パチンコ球の貸出処理を行うものであるが、実質的な貸出処理は、球貸装置からの球貸信号（貸出用のパチンコ球の払出を要求する信号）を受けたパチンコ遊技機側の払出制御基板２３および賞球払出装置２４により実施される。
【００３６】
すなわち、上記の球貸信号は、玉貸装置接続用基板５８を介して払出制御基板２３に伝送され、払出制御基板２３は、球貸信号を受け付けると、賞球払出装置２４の払出モータ５１を駆動して、所定数の貸し出し用のパチンコ球を払い出す。また、この払出処理の間には、球貸信号に対する応答信号を送信するなど、球貸装置との間で複数回の通信を実行する。また、貸出用のパチンコ球を払い出している間は、賞球払出動作を行わないように制御する。
【００３７】
なお、主制御基板２５や各副制御基板の管轄下の入出力部も、中継基板を介して接続される場合があるが、図６では、これらの中継基板については図示を省略している。
【００３８】
また、図６において、電源の供給経路を白抜き矢印で示している。これらの矢印が示すように、電源基板９０に外部から供給された２４Ｖ直流電源は、電源分配基板９１を介して主制御基板２５および玉貸装置接続用基板５８に供給される。主制御基板２５に供給された電源は、中継基板８１を介して演出用制御基板６０に分配され、更に、液晶表示ユニット６１や電飾ランプ基板に分配されると共に、払出制御基板２３に供給された電源は、中継基板８２を介して発射制御基板７０にも分配される。
【００３９】
図７は本発明にかかるパチンコ遊技機の払出制御基板２３のＲＯＭに記憶されている制御プログラムの動作を示すフィローチャートである。前記払出制御基板２３は主制御基板２５からの賞球払出指令信号を受信するまでＳＴ１０１（ＳＴはステップの略を意味する。以下も同じ。）にて待機し、前記賞球払出指令信号が送られてきた場合は、ＳＴ１０２にて上部タンク玉切れかを判別し、タンク玉切れセンサ５３がＯＮ状態、すなわち、上部タンク２１の玉貯留量が不足している場合は、判定がＹＥＳとなってＳＴ１０３にて払出が停止される。ただし、上部タンク２１に払出すべき賞球が十分に貯留されておりＳＴ１０２にてタンク玉切れがＮＯの場合は、ＳＴ１０４にて上下の受皿満杯スイッチＬＳ１およびＬＳ２の状態を判別する。
【００４０】
上皿満杯スイッチ２９および下皿満杯スイッチ３２のうちいずれか一方が満杯を非検出である場合、すなわち、上皿８または下皿９のうち少なくとも一方に新たな賞球を受入れ可能な収容スペースが存在する場合は、ＳＴ１０４において「受皿満杯か？」の判定がＮＯとなりＳＴ１０５に移行して賞球払出し制御が実行される。したがって、払出制御基板２３のメモリーに未払出賞球の記憶がある限り、ＳＴ１０１の判定はＹＥＳとなるので、タンク球切れセンサ５３が球切れ検出を行っておらず、かつ、上皿満杯スイッチ２９および下皿満杯スイッチ３２のうちいずれかが満杯を検出していない場合は、未払出球がなくなるまで賞球払出装置２４による賞球の払出動作が継続する。
【００４１】
なお、ＳＴ１０４において、上皿満杯スイッチ２９および下皿満杯スイッチ３２の双方が満杯を検出した場合は、判定がＹＥＳとなるため、ＳＴ１０３にて賞球払出装置24の払出モータ51が停止し、払出が自動停止する。
【００４２】
その後、遊技者が発射ハンドル１０を操作しつつ打球発射を継続して行うことにより、上皿８のパチンコ玉を消費し、その結果、上皿満杯スイッチ２９が、再び満杯非検知状態となった場合は、ＳＴ１０４にて受皿満杯の判定がＮＯに変化する為、賞球払出が再開され、上皿に所定個数の賞球が払い出されることによって上皿満杯スイッチ２９が満杯を再び検出すればＳＴ１０４の判定がＹＥＳとなって賞球払出が停止する。
【００４３】
このように、払出制御基板２３に未払出賞球データが残っていれば、打球発射の継続によって上皿８に対して頻繁に賞球の払出しがおこなわれるが、本発明にかかるパチンコ遊技機においては、賞球払出装置２４から賞球通路２６を通じて上皿８に払出される賞球は、少なくとも上皿満杯スイッチ２９が作動してから上皿賞球入口部２５に流入する賞球の最大個数より大きな容積を有する賞球入口部２５によって全数が受け止められるので、賞球の一部が下皿連絡通路２７へ侵入するのを完全に阻止することが出来、下皿連絡通路２７へのパチンコ玉の堆積や球詰まりが未然に防止される効果を奏する。
【００４４】
なお、上記の実施例では、上皿満杯スイッチ２９および下皿満杯スイッチ３２を払出制御基板２３の満杯信号入力ポート２３ａ，２３ｂに対して直列に接続した場合について説明したが、これらを払出制御基板２３に並列的に接続し、払出制御基板２３の制御プログラムによって常時監視することで、上皿満杯スイッチ２９および下皿満杯スイッチ３２が一斉に満杯検知した場合に賞球払出装置２４を停止制御することも可能である。ただし、この場合は前記払出制御基板２３の制御プログラムを若干変更することが必要である。また、上皿満杯スイッチ２９および下皿満杯スイッチ３２の検出手段についても、リミットスイッチＬＳ１，ＬＳ２を用いた場合について説明したが、例えば、これらを光電式センサや近接スイッチ等の他の検知部品にて代替することも可能である。
【図面の簡単な説明】
【００４５】
【図１】本発明を適用したパチンコ遊技機の全体斜視図
【図２】本発明を適用したパチンコ遊技機の一部破断視背面図
【図３】同パチンコ遊技機に設けられる上皿満杯検出スイッチの構造図
【図４】同パチンコ遊技機に設けられる下皿満杯検出スイッチの構造図
【図５】本発明にかかるパチンコ遊技機の概要図
【図６】同パチンコ遊技機の制御回路の一例を示すブロック図
【図７】本発明にかかるパチンコ遊技機の作用を示すフローチャート
【図８】従来のパチンコにおける下皿満杯検出装置の概念図
【符号の説明】
【００４６】
８      上皿
９      下皿
１６,１７      窓孔
２３      払出制御手段(払出制御基板)
２３ａ,２３ｂ      信号入力端子
２４      賞球払出装置
２５      上皿賞球入口
２６      賞球通路
２７      下皿連絡通路
２９      上皿満杯スイッチ
３２      下皿満杯スイッチ
【図１】
0005431655.tif 000002
【図２】
0005431655.tif 000003
【図３】
0005431655.tif 000004
【図４】
0005431655.tif 000005
【図５】
0005431655.tif 000006
【図６】
0005431655.tif 000007
【図７】
0005431655.tif 000008
【図８】
0005431655.tif 000009